(57)【特許請求の範囲】
【請求項１】
発振出力を出す１つの発振回路と、該１つの発振回路から印加された発振出力によって、超音波を水中に照射し、水中からの反射エコーを受信する１つの超音波振動子と、該１つの超音波振動子で受信した水中からの前記反射エコーの中で予め設定される水面から湖底までの深度による信号を通過するように深度範囲が設定された第１深度設定回路と、前記１つの超音波振動子で受信した水中からの前記反射エコー信号の中で予め設定された湖底からの第２反射エコー信号及び第３反射エコー信号が受信されるように深度範囲が設定された第２の深度設定回路と、前記第１深度設定回路によって設定された前記水面から湖底までの深度における信号を受信する第１の受信回路と、前記第２の深度設定回路で設定された前記湖底からの第２反射エコー信号及び第３の反射エコー信号が受信される第２の受信回路と、前記第１の受信回路で増幅した反射エコー信号をデジタルエコー信号に変換する第１のＡ／Ｄ変換器と、前記第２の受信回路で増幅した反射エコー信号をデシタルエコー信号に変換する第２のＡ／Ｄ変換器と、前記第１のＡ／Ｄ変換器で変換したデジタルエコー信号を記憶する第１のメモリと、前記第２のＡ／Ｄ変換器で変換されたデジタルエコー信号を記憶する第２のメモリと、前記第１、第２のメモリに記憶されているデジタルエコー信号をそれぞれ読み出す制御装置と、１つの画面を２つに分割することにより、前記第１、第２のメモリから前記制御装置でそれぞれ読み出されたデジタルエコー信号をそれぞれの深度範囲でそれぞれ２つの画面に表示する表示装置とからなることを特徴とする魚群探知機。
【発明の詳細な説明】
【０００１】
【産業上の利用分野】
本発明は、１周波数の超音波を水中に発射することにより、深度に応じて水中の魚や湖底等をそれぞれ２つに分けて表示するようにした魚群探知機に関するものである。
【０００２】
【従来の技術】
近年、スポーツフィッシングとして盛んになっているブラックバス釣りにおいては、ブラックバスが硬質の湖底に生息していることが多いので、湖底の硬軟等の判別が重要な情報となるが、従来の単周波魚群探知機や２周波並画式魚群探知機では、水中情報、すなわち水面から湖底までの情報の表示に重きが置かれていた。
【０００３】
【発明が解決しようとする課題】
ところで、超音波を湖底に向けて発射した場合、軟質の湖底では、超音波の反射が小さいので、余程感度を良くしても、超音波の第２及び第３反射波を表示することは難しいが、硬質の湖底に向けて超音波を発射した場合には、超音波の反射波が大きいので、第２及び第３反射波を表示することができる。
【０００４】
しかしながら、従来の２周波並画式魚群探知機で超音波の第２及び第３反射波を表示して湖底の状況を詳しく知りたい場合があったとしても、湖底からの第２反射及び第３反射波まで見るために深度レンジを深くすると、水面から湖底までの画像が圧縮され、水中の状態や魚の映像が見にくくなり、又、画面をシフトして第２及び第３反射波を中心にして表示すると、水中や魚の映像が画面からはみだしてしまい、従って、水中の状態及び湖底の状態を同時に見ることができないという欠点があった。
【０００５】
【課題を解決するための手段】
本発明は、発振出力を出す１つの発振回路と、該１つの発振回路から印加された発振出力によって、超音波を水中に照射し、水中からの反射エコーを受信する１つの超音波振動子と、該１つの超音波振動子で受信した水中からの前記反射エコーの中で予め設定される水面から湖底までの深度による信号を通過するように深度範囲が設定された第１深度設定回路と、前記１つの超音波振動子で受信した水中からの前記反射エコー信号の中で予め設定された湖底からの第２反射エコー信号及び第３反射エコー信号が受信されるように深度範囲が設定された第２の深度設定回路と、前記第１深度設定回路によって設定された前記水面から湖底までの深度における信号を受信する第１の受信回路と、前記第２の深度設定回路で設定された前記湖底からの第２反射エコー信号及び第３の反射エコー信号が受信される第２の受信回路と、前記第１の受信回路で増幅した反射エコー信号をデジタルエコー信号に変換する第１のＡ／Ｄ変換器と、前記第２の受信回路で増幅した反射エコー信号をデシタルエコー信号に変換する第２のＡ／Ｄ変換器と、前記第１のＡ／Ｄ変換器で変換したデジタルエコー信号を記憶する第１のメモリと、前記第２のＡ／Ｄ変換器で変換されたデジタルエコー信号を記憶する第２のメモリと、前記第１、第２のメモリに記憶されているデジタルエコー信号をそれぞれ読み出す制御装置と、１つの画面を２つに分割することにより、前記第１、第２のメモリから前記制御装置でそれぞれ読み出されたデジタルエコー信号をそれぞれの深度範囲でそれぞれ２つの画面に表示する表示装置とからなるものである。
【０００６】
【作用】
本発明では、１つの周波数の超音波を水中に発射し、その反射エコーを１つの超音波振動子で受信し、この超音波振動子からの反射エコー信号を深度範囲を設定できる深度設定回路によって深度範囲を設定して、第１、第２の受信回路で深度範囲ごとに受信してそれぞれ増幅し、第１、第２の受信回路で増幅された反射エコー信号を第１、第２のＡ／Ｄ変換器でデジタルエコー信号に変換して、第１、第２にメモリにそれぞれ記憶させ、制御装置で第１、第２のメモリに記憶された信号を読み出して、１つの表示装置の表示画面を分割して並画することにより、一方の画面では水面から湖底までの範囲を表示し、他方の画面では、超音波の第２及び第３反射波を表示することにより、水中におけるブラックバスの生息と超音波の第２及び第３反射波の表示による湖底の硬質及び軟質の状態を同時に表示することができる。
【０００７】
【実施例】
図１は、本発明の１実施例の魚群探知機のブロック図で、送信回路１は超音波振動子２が接続されるとともに、第１、第２の受信回路３、４の入力端子に接続され、これら第１、第２の受信回路３、４には深度範囲を設定できる深度設定回路５、６がそれぞれ接続され、又、第１、第２の受信回路３、４の出力端子には、第１、第２のＡ／Ｄ変換器７、８の入力端子が接続され、さらに、第１、第２のＡ／Ｄ変換器７、８の出力端子には、第１、第２のメモリ９、１０が接続され、又、第１、第２のメモリ９、１０に制御装置１１が接続され、さらに、制御装置１１に表示装置１２が接続されている。
【０００８】
このように構成された本実施例の魚群探知機では、送信回路１からの１つの周波数の信号が超音波振動子２に印加されると、水中及び湖底の反射エコーが超音波振動子２で受信され、この超音波振動子２からの反射エコー信号は第１、第２の受信回路３、４に入力される。
【０００９】
ここで、第１、第２の受信回路３、４には、それぞれ深度設定回路５、６が接続されているので、第１の受信回路３には、水面から湖底までの反射エコー信号が入力されるように深度設定回路５で深度範囲が設定され、さらに、第２の受信回路４には、湖底からの第２、第３反射エコー信号が受信されるように深度設定回路６で設定され、又、それぞれの深度設定回路５、６には、個別に感度が設定される感度設定回路が内蔵されている。
【００１０】
そして、このように第１、第２の受信回路３、４で受信されて増幅された反射エコー信号は、Ａ／Ｄ変換器７、８でデジタルエコー信号に変換されて、それぞれ第１、第２のメモリ９、１０に記憶される。
【００１１】
この第１、第２のメモリ９、１０に記憶されたでデジタルエコー信号はＣＰＵからなる制御装置１１でそれぞれ順次読み出され、図２に示すように、表示装置１２の画面１３が２つの画面１３ａと１３ｂに分割されて表示され、この分割された画面１３ａには、深度設定回路５で設定されるように、水面１４ａから湖底１４ｂまでの水中の状態が表示され、又、分割された画面１３ｂには、深度設定回路６で設定されるように、水面１５ａと１次反射波の湖底１５ｂの外に、第２反射波による湖底１５ｃ及び第３反射波による湖底１５ｄが表示され、従って、この湖底１５ｃ及び湖底１５ｄが表示される所は硬質の湖底で、第３反射波が表示されずに第２反射波だけが表示される部分及び第２反射波も表示されない部分は軟質の湖底であると見なすことができる。
【００１２】
このように、本発明では、送信装置１から１つの超音波振動子２に送信することにより、超音波振動子２によって受信された反射エコー信号を、第１、第２の受信回路３、４の深度設定回路５、６で深度を設定して受信することによって、１つの表示装置１２の画面１３を表示画面１３ａ及び１３ｂに分割して表示するようにしたので、表示画面１３ａには通常画像で水中情報を確認することができ、表示画面１３ｂには湖底の第２、第３反射エコー信号まで表示することによって常に湖底の硬軟の状態を判別することができる。
【００１３】
【発明の効果】
以上説明したように、本発明の魚群探知機では、１つの超音波による反射エコー信号を深度を設定することによって、１つの表示装置の表示画面を２つに分割して表示し、一方の分割画面には通常画像を表示して水中情報を確認することができ、又、他方の分割画面では、湖底の第２、第３反射エコー信号まで表示することによって、第２、第３反射エコー信号が表示された部分が硬質の湖底であることから常に湖底の硬軟の状態を判別することができるという利点がある。
【図面の簡単な説明】
【図１】  本発明の１実施例の魚群探知機のブロック図である。
【図２】  図１の表示装置の表示画面を示した図である。
【符号の説明】
１                        送信回路
２                        超音波振動子
３                        第１の受信回路
４                        第２の受信回路
５                        第１の深度設定回路
６                        第２の深度設定回路
７                        第１のＡ／Ｄ変換器
８                        第２のＡ／Ｄ変換器
９                        第１のメモリ
１０                      第２のメモリ
１１                      制御装置
１２                      表示装置
【図１】
0004274331.tif 000002
【図２】
0004274331.tif 000003